(57)【要約】【課題】光学フィルタを有する内視鏡用先端フードにおいて、内視鏡画像の視認性を向上すること。【解決手段】撮像部２１ｃを有する内視鏡２の先端部２１ａに装着され、略筒状の部材から成る内視鏡用先端フード１である。この先端フード１は、内視鏡２の先端部２１ａに装着される内視鏡装着部１１と、内視鏡装着部１１の軸心ＡＸに沿った反対側に形成されるフード部１２とを有する。フード部１２は、光学フィルタ１３と、内視鏡２に装着された状態で、光学フィルタ１３が撮像部２１ｃを覆うように支持する略板状の支持部１４と、支持部１４の内視鏡２の先端部側の面に光学フィルタ１３を囲むように設けられ、撮像部２１ｃと光学フィルタ１３との間の部分を封止する封止部（Ｏリング）１５と、を有する。【選択図】図３Ａ
2018102840.tif 000002
【特許請求の範囲】
【請求項１】
撮像部を有する内視鏡の先端部に装着され、略筒状の部材から成る内視鏡用先端フードであって、
前記内視鏡の先端部に装着される内視鏡装着部と、
前記内視鏡装着部の軸心に沿った反対側に形成されるフード部と、
光学フィルタ部と、
前記内視鏡の先端部に装着された状態で、前記光学フィルタ部が前記撮像部を覆うように支持する略板状の支持部と、
前記支持部の前記内視鏡の先端部側の面に前記光学フィルタ部を囲むように設けられ、前記撮像部と前記光学フィルタ部との間の部分を封止する封止部と、を有する内視鏡用先端フード。
【発明の詳細な説明】
【技術分野】
【０００１】
本発明は、内視鏡の先端部に装着される先端フードに関する。
【背景技術】
【０００２】
近時、がんに集積性を示す光感受性物質とレーザ光照射による光化学反応を利用した光線力学的診断法（ＰＤＤ：Ｐｈｏｔｏ  Ｄｙｎａｍｉｃ  Ｄｉａｇｎｏｓｉｓ）や光線力学的治療法（ＰＤＴ：Ｐｈｏｔｏ  Ｄｙｎａｍｉｃ  Ｔｈｅｒａｐｙ）が注目されている。
【０００３】
ＰＤＤは、がん細胞に選択的に蓄積された光感受性物質に、特定波長のレーザ光を照射して、該光感受性物質が発する蛍光を観察し、病変部を特定する診断法である。ＰＤＴは、がん細胞に選択的に蓄積された光感受性物質に、特定波長のレーザ光を照射することにより、励起酸素を発生させ、がん細胞を死滅させる治療法である。ＰＤＤは、病変の範囲を内視鏡下で精度よく検出する治療法として、ＰＤＴは、正常組織への障害が非常に少ない低侵襲ながんの治療法として、それぞれ期待されている。
【０００４】
内視鏡下でＰＤＤやＰＤＴを行う際には、内視鏡の先端部に先端フードを装着しておき、病変近傍まで内視鏡を挿入し、内視鏡鉗子チャネル（処置具案内管）に、レーザ光を出射するプローブを挿入する。プローブ先端を病変に向けて、先端フードの一端で病変部（管腔臓器の施術すべき壁面部）、またはその近くを押さえながら、プローブ先端部の病変部に対する姿勢および距離を適正に保ち、レーザ光を照射する。
【０００５】
ところで、一般的な内視鏡を用いてＰＤＤやＰＤＴを行う場合には、内視鏡の撮像部に光学フィルタを設ける必要がある場合がある。例えば、５−アミノレブリン酸などの投与によって生体内に生じるプロトポルフィリンＩＸを光感受性物質として用いるＰＤＤにおいては、プロトポルフィリンＩＸが発する蛍光を、照射に用いられるレーザ光の乱反射光や生体内に元来に含まれる他の蛍光物質が発する蛍光（自家蛍光）の影響を排除して観察するために、プロトポルフィリンＩＸが発する波長６３５ｎｍ付近の光のみを透過する光学フィルタが用いられる。このような光学フィルタを内視鏡の撮像部に設ける方法としては、光学フィルタを有する先端フードを内視鏡に取り付ける手法が提案されている（特許文献１参照）。しかしながら、従来の光学フィルタを有する先端フードでは、光学フィルタと内視鏡の撮像部との間に体液等が浸入し、内視鏡画像における視認性を低下させる場合があるという問題がある。
【先行技術文献】
【特許文献】
【０００６】
【特許文献１】特開２００７−２０７５９号公報
【発明の概要】
【発明が解決しようとする課題】
【０００７】
本発明は、このような実状に鑑みてなされ、その目的は、光学フィルタを有する内視鏡用先端フードにおいて、内視鏡画像の視認性を向上することである。
【課題を解決するための手段】
【０００８】
上記目的を達成するために、本発明に係る内視鏡用先端フードは、
撮像部を有する内視鏡の先端部に装着され、略筒状の部材から成る内視鏡用先端フードであって、
前記内視鏡の先端部に装着される内視鏡装着部と、
前記内視鏡装着部の軸心に沿った反対側に形成されるフード部と、
光学フィルタ部と、
前記内視鏡の先端部に装着された状態で、前記光学フィルタ部が前記撮像部を覆うように支持する略板状の支持部と、
前記支持部の前記内視鏡の先端部側の面に前記光学フィルタ部を囲むように設けられ、前記撮像部と前記光学フィルタ部との間の部分を封止する封止部と、を有する。
【０００９】
本発明に係る内視鏡用先端フードでは、光学フィルタ部を支持する支持部の内視鏡の先端部側の面に光学フィルタ部を囲むように設けられ、撮像部と光学フィルタ部との間の部分を封止する封止部を有するので、撮像部と光学フィルタ部との間の部分に体液等が浸入することが抑制される。したがって、内視鏡画像（撮像部で撮像される画像）の視認性を向上することができる。
【図面の簡単な説明】
【００１０】
【図１Ａ】図１Ａは、本発明の一実施形態に係る内視鏡用先端フードの斜視図である。
【図１Ｂ】図１Ｂは、図１Ａに示した内視鏡用先端フードの正面図である。
【図１Ｃ】図１Ｃは、図１Ａに示した内視鏡用先端フードのＩｃ−Ｉｃ線に沿った断面図である。
【図１Ｄ】図１Ｄは、図１Ａに示した内視鏡用先端フードの要部を拡大して示す断面図である。
【図２】図２は、図１Ａに示した内視鏡用先端フードが装着される内視鏡の先端部近傍を示す斜視図である。
【図３Ａ】図３Ａは、図１Ａに示した内視鏡用先端フードを、図２に示した内視鏡の先端部に装着した状態を示す側断面図である。
【図３Ｂ】図３Ｂは、図３Ａの要部を拡大して示す一部断面図である。
【図４Ａ】図４Ａは、図１Ａに示した内視鏡用先端フードが装着された内視鏡の先端部を管腔臓器の診断部位に対して位置決めして、鉗子チャネルに挿入したプローブからレーザ光を照射した状態を模式的に示す図である。
【図４Ｂ】図４Ｂは、本発明の他の実施形態に係る内視鏡用先端フードが装着された内視鏡の先端部を管腔臓器の診断部位に対して位置決めして、鉗子チャネルに挿入したプローブからレーザ光を照射した状態を模式的に示す図である。
【発明を実施するための形態】
【００１１】
以下、本発明の実施形態について図面を参照して説明する。
【００１２】
第１実施形態
本発明の一実施形態に係る内視鏡用先端フードは、内視鏡の先端部に装着して用いられる。この内視鏡用先端フードは、光線力学的診断法（ＰＤＤ：Ｐｈｏｔｏ  Ｄｙｎａｍｉｃ  Ｄｉａｇｎｏｓｉｓ）や光線力学的治療法（ＰＤＴ：Ｐｈｏｔｏ  Ｄｙｎａｍｉｃ  Ｔｈｅｒａｐｙ）に用いられる内視鏡に好適に用いることができる。以下では、管腔臓器としての食道の病変（がん）の存在範囲を、プロトポルフィリンＩＸを光感受性物質として用いたＰＤＤにより診断する場合を例として説明する。
【００１３】
図１Ａ、図１Ｂ、図１Ｃおよび図１Ｄに示すように、内視鏡用先端フード１は、全体として略円筒状の部材からなり、その基端部側に内視鏡２の先端部２１（図２および図３Ａ参照）に外嵌される内視鏡装着部１１を有しており、その先端部側にフード部１２を有している。
【００１４】
フード部１２は、その先端に先端開口縁部１２ａを有し、本実施形態では、先端開口縁部１２ａは円形状を有している。すなわち、先端開口縁部１２ａは、その軸心ＡＸに対して略直交する面で切断した円状開口部となっている。本実施形態では、軸心ＡＸは、略円筒状の部材の軸心であり、内視鏡装着部１１とフード部１２とは、相互に軸心ＡＸに沿った反対側に位置する。そして、フード部１２の基端側（内視鏡装着部１１の近傍）には、フード部１２の内部に唾液、胃液等の体液が溜まるのを防止するための排出口として、内外に貫通する貫通孔１２ｂが形成されている。また、フード部１２の内面には、内視鏡２（図２および図３Ａ参照）の先端部との軸心ＡＸ周りの位置を合わせるための目印として、凹状の溝やマーク等が形成されていてもよい。
【００１５】
フード部２の内側には、光学フィルタ（光学フィルタ部）１３が設けられている。光学フィルタ１３は、板状のフィルタ支持部（支持部）１４に支持されている。フィルタ支持部１４は、内視鏡２の先端部に装着された際に、光学フィルタ１３が後述する撮像部２１ｃ（図２、図３Ａおよび図３Ｂ参照）を覆うように配置した状態で支持する部位または部材である。なお、前述の貫通孔１２ｂは、フード部１２の壁面のうち、光学フィルタに近接する部分に設けられている。
【００１６】
フィルタ支持部１４は、フード部１２の基端部側（先端開口縁部１２ａと反対側）の部分（内視鏡装着部１１との境界部分）に、その一端部および他端部が一体的に接続して設けられている。フィルタ支持部１４の板面は、軸心ＡＸに略直交するように設定されている。本実施形態では、フィルタ支持部１４は、後述する照明部２１ｄ，２１ｄ（図２参照）を覆わないように形成されているとともに、後述する鉗子チャネルの先端開口２１ｂ（図２参照）に対応する部分に貫通穴１４ａが形成されている。
【００１７】
プロトポルフィリンＩＸを光感受性物質として用いたＰＤＤを実施する場合には、内視鏡２の鉗子チャネルに挿入されて、鉗子チャネルの先端開口２１ｂから突出するレーザプローブ３から波長４０５ｎｍ付近のレーザ光（診断光）が出射される。そして、このレーザ光による励起によって、プロトポルフィリンＩＸが波長６３５ｎｍ程度の蛍光を発するが、それと同時に、正常組織に存在する蛍光物質が波長５００ｎｍ程度の蛍光（自家蛍光）を発する場合がある。したがって、この場合に用いる先端フード１に備えられる光学フィルタ１３としては、観察すべきプロトポルフィリンＩＸの蛍光を透過し、かつ、乱反射した診断光やプロトポルフィリンＩＸ以外の蛍光物質が発する蛍光を遮断できるもの、すなわち、波長６３５ｎｍ近傍の光を透過し、それ以下の波長の光を遮断するロングパスフィルタまたはバンドパスフィルタが用いられる。
【００１８】
光学フィルタ１３としては、透明なガラスや樹脂等からなる基材に光学薄膜を形成したものを、フィルタ支持部１４に支持固定したものを用いてもよいし、フィルタ支持部１４の対応する一部または全部を透明部材として、フィルタ支持部１４の対応する一部または全部に光学薄膜を形成したものであってもよい。
【００１９】
フィルタ支持部１４の内視鏡２の先端部２１ａ側の面には、撮像部２１ｃと光学フィルタ１３との間の部分を封止する封止部として、円環状のシール部材であるＯリング１５が設けられている、フィルタ支持部１４には、光学フィルタ１３の外側を囲むように、凹陥する円環状の環状溝１４ｂ（図１Ｂおよび図１Ｄ参照）が形成されており、この環状溝１４ｂにＯリング１５が挿入配置されている。Ｏリング１５の材質としては、ゴム弾性を有する材料が好適に用いられ、具体的には、ニトリルゴム、エチレンプロピレンゴム、フッ素ゴム、シリコーンゴム等を例示することができる。なかでも、耐光性に優れる等の観点から、シリコーンゴムを好適に用いることができる。
【００２０】
内視鏡装着部１１の内径ｄ１は、これが装着される内視鏡２の先端部の外径との関係で設定されるが、好ましくはφ４〜１２ｍｍ程度とされる。フード部１２の内径ｄ２は、特に限定されないが、内径ｄ１と同程度とすることが好ましい。
【００２１】
図１Ｃに示される、フード部１２の長手方向（軸心ＡＸに沿う方向）の寸法（内視鏡の先端面からの突出長）Ｌ１は、これが装着される内視鏡を用いた処置に応じて設定されるが、本実施形態では、ＰＤＤに用いるものとして、好ましくは５〜３０ｍｍ程度とされる。なお、内視鏡装着部１１の長手方向（軸心ＡＸに沿う方向）の寸法Ｌ２は、好ましくは２〜２０ｍｍ程度に設定される。
【００２２】
内視鏡装着部１１とフード部１２とは、同一の材料により同時に一体成形してもよいし、それぞれ別部材として成形した後に互いに一体化してもよい。なお、本実施形態では、内視鏡装着部１１とフード部１２とを別々に成形した後に、互いに嵌め込み固定して一体化している。また、内視鏡装着部１１のフード部１２側の一部と内視鏡装着部１１のフード部１２とは反対側の一部とを別部材とし、内視鏡装着部１１のフード部１２側の一部をフード部１２と同一の材料により同時に一体成形し、これに内視鏡装着部１１のフード部１２とは反対側の一部を一体化してもよい。
【００２３】
フード部１２は、その内側が視認できるように、透明または半透明な素材で構成してもよいし、その内側からの光の漏れを抑制するため、遮光性を有する素材で構成してもよい。フード部１２に遮光性を付与する場合には、フード部１２を遮光性を有しない素材で構成して、追加的に遮光性を有するテープ等をその周囲に貼付し、あるいは遮光性の塗料を塗布することにより、遮光性を付与するようにしてもよい。
【００２４】
また、フード部１２は、その先端部側の一部または全部が柔軟性を有していてもよい。内視鏡装着部１１は、内視鏡の先端部に確実に固定するという機能を損なわないことを条件として、フード部１２と同様に柔軟性を有していてもよい。内視鏡装着部１１および／またはフード部１２を構成する材料としては、ポリカーボネート樹脂、ポリアセタール樹脂、シリコーンゴム、エチレンプロピレンゴム、各種の熱可塑性エラストマー等を用いることができる。
【００２５】
次に、本発明の一実施形態に係る内視鏡用先端フードが装着される内視鏡（電子内視鏡）について、図２を参照して概説する。内視鏡２は、体内（食道等の管腔臓器内）に挿入される先端部２１ａおよび体外に配置される基端部（不図示）を有する可撓性の管状部材からなる挿入部２１、および挿入部２１の基端部に配置される操作部（不図示）等を概略備えて構成されている。操作部には、挿入部２１の先端部２１ａおよびその近傍部分を偏向操作するための操作ノブ等が設けられている。
【００２６】
挿入部２１の内部には、図示は省略しているが、各種の内視鏡用処置具等（本実施形態では、ＰＤＤのための光源として用いるレーザプローブ３）を挿入するための処置具案内管としての鉗子チャネル、挿入部２１の先端部に設けられたＣＣＤ（撮像素子）等に対する電気的配線等が挿通される配線チャネル、照明用の光ファイバ（ライトガイド）が挿通されるファイバチャネル、気体または液体を吸引するための吸引チャネル、薬液等を注入するための送水チャネル、空気等を送る送気チャネル等が形成されている。
【００２７】
挿入部２１の先端部２１ａには、鉗子チャネルに連通された先端開口２１ｂ、撮像部２１ｃ、ファイバチャネルに挿通された光ファイバの先端からの照明光を出射する照明部２１ｄ，２１ｄが設けられている。また、挿入部２１の先端部２１ａには、図示は省略しているが、吸引チャネル、送水チャネルおよび送気チャネルに対応する吸引口、送水口および送気口も設けられている。撮像部２１ｃは、図３Ａに示すように、対物レンズ系２１ｃ１およびカラーフィルタ方式のＣＣＤ（撮像素子）２１ｃ２を備えている。
【００２８】
図３Ａに示すように、内視鏡２の挿入部２１の先端部２１ａには、本実施形態に係る内視鏡用先端フード１が装着される。先端フード１は、内視鏡装着部１１が挿入部２１の先端部２１ａに外嵌された状態で、滅菌された伸縮性のあるプラスチックテープ（不図示）等を巻回貼付することにより、挿入部２１の先端部２１ａに固定（装着）される。
【００２９】
ＰＤＤ用のレーザ光を管腔臓器内の診断部位に照射するため、内視鏡２の操作部側から鉗子チャネル内にレーザプローブ３を挿入する。レーザプローブ３は、先端および基端を有する可撓性チューブと、該チューブ内に挿通された光ファイバ（ライトガイド）と、該チューブの先端に設けられ、該光ファイバにより送光されたレーザ光を出射するレーザ光出射部とを概略備えて構成されている。該光ファイバの基端は、図外の半導体レーザ発生装置に接続される。
【００３０】
鉗子チャネル内に挿入されたレーザプローブ３のレーザ光出射部の先端部は、挿入部２１の先端面の先端開口２１ｂの近傍に配置される。図外の半導体レーザ発生装置において、プロトポルフィリンＩＸの蛍光を励起するためＰＤＤに最適な波長（たとえば波長４０５ｎｍ）のレーザ光が発生され、該レーザ光がレーザプローブ３の先端部のレーザ光出射部から出射される。
【００３１】
次に、上述した本実施形態に係る内視鏡用先端フード１を用いるＰＤＤについて概説する。
【００３２】
まず、内視鏡２の挿入部２１の先端部２１ａに、本実施形態に係る内視鏡用先端フード１を装着する。すなわち、先端フード１の内視鏡装着部１１の基端部側から内視鏡２の挿入部２１の先端部２１ａを挿入し、内視鏡装着部１１を挿入部２１の先端部２１ａに外嵌させる。
【００３３】
内視鏡装着部１１を挿入部２１の先端部２１ａに挿入する際には、内視鏡用先端フード１を適宜に軸心ＡＸ周りに相対的に回転させて、光学フィルタ１３が挿入部２１の先端面の撮像部２１ｃに対応する（または貫通穴１４ａが先端開口２１ｂに対応する）ように、回転方向の位置を調整する。なお、フード部１２の内面に目印がある場合には、該目印を用いて回転方向の位置を合わせてもよい。
【００３４】
次いで、図３Ｂに示すように、挿入部２１の先端部２１ａ（先端面）をフード部１のフィルタ支持部１４に圧接させて、Ｏリング１５を環状溝１４ｂ内に向けて圧縮する。この状態で、内視鏡装着部１１と挿入部２１の先端部２１ａとの接合部分を含む部分に、不図示のプラスチックテープを巻回貼付して、先端フード１を挿入部２１の先端部２１ａに固定する。
【００３５】
先端フード１が装着された内視鏡２の挿入部２１を、予め５−アミノレブリン酸などが投与（経口投与、静脈注射等）されて病変（がん細胞）が生じている箇所にプロトポルフィリンＩＸが選択的に蓄積された患者の口から挿入し、撮像部２１ｃで撮像された画像をモニタしつつ、挿入部２１の先端部２１ａを、食道の診断すべき部位（診断箇所４）まで挿入する。
【００３６】
この状態で、図４Ａに示すように、診断箇所４の周囲の一部にフード部１２の先端開口縁部１２ａの一部を突き当て、挿入部２１の先端部２１ａの姿勢を調整し、フード部１２の先端開口縁部１２ａを診断箇所４の近傍に配置する。次いで、波長４０５ｎｍ付近のレーザ光を出射するレーザプローブ３を鉗子チャネルに挿入し、レーザプローブ３のレーザ光出射部の先端を、挿入部２１の先端面の先端開口２１ｂから突出させる。
【００３７】
次いで、レーザプローブ３の光出射部から波長４０５ｎｍ付近のレーザ光Ｌを出射して、診断箇所４を照射しつつその照射箇所を撮像部２１ｃで撮像し、得られる内視鏡画像を監視する。このとき、診断箇所４にがん細胞が生じている場合には、がん細胞に選択的に蓄積されたプロトポルフィリンＩＸが波長６３５ｎｍ程度の赤色蛍光を発する。内視鏡２の撮像部２１ｃは、波長６３５ｎｍ近傍の光を透過し、それ以下の波長の光を遮断する光学フィルタ１３を介して内視鏡画像の撮像を行うので、レーザ光Ｌの乱反射や正常細胞の自家蛍光の影響を排除して、プロトポルフィリンＩＸの蛍光を観察できる。したがって、診断箇所４のうち、光が観察される箇所をがん細胞が生じて箇所であると診断することができる。なお、診断箇所４が、レーザ光の照射範囲よりも広い場合には、フード部１２の先端開口縁部１２ａの診断箇所４の周囲に当接する部分を、診断箇所４の内壁面に沿ってずらし、同様な操作を繰り返せばよい。
【００３８】
上述した実施形態では、フィルタ支持部１４の内視鏡２の先端部２１ａ側の面に光学フィルタ１３を囲むように、環状溝１４ｂおよびＯリング１５を設け、Ｏリング１５を環状溝１４ｂ内で圧縮した状態で、先端フード１を内視鏡２の先端部２１ａに装着している。Ｏリング１５により、撮像部２１ｃと光学フィルタ１３との間の部分が気密に封止されるため、撮像部２１ｃと光学フィルタ１３との間の部分に体液等が浸入することが抑制される。したがって、内視鏡画像（撮像部２１ｃで撮像される画像）の視認性を向上することができる。なお、撮像部２１ｃと光学フィルタ１３との間の部分には、隙間空間が存在していてもよく、その隙間空間が外部から封止されていればよい。
【００３９】
第２実施形態
次に、上述した実施形態の変形例について、図４Ｂを参照して説明する。この変形例において、上述した実施形態と実質的に共通する構成部分については共通する符号を付し、その説明は一部省略し、相違する部分について説明する。
【００４０】
この変形例では、フード部１２として、その先端開口縁部１２ａが先端フード１の軸心ＡＸに対して所定の角度θで傾斜する楕円形状の傾斜縁部を有している。すなわち、先端開口縁部１２ａは、略円筒状の部材をその軸心ＡＸに対して所定角度θで斜交する面で切断したような楕円形状の傾斜縁部を有し、楕円状開口部となっている。傾斜角度θとしては、特に限定されないが、好ましくは、２０〜６０°である。
【００４１】
この変形例によれば、フード部１２がその軸心に対して所定角度θで傾斜する傾斜縁部からなる先端開口縁部１２ａを有している。このため、この傾斜縁部が診断箇所４（管腔臓器の診断すべき壁面部）の回りに沿って当接するように内視鏡２の先端部２１ａの姿勢を調整することにより、内視鏡２の先端部２１ａの姿勢を安定させることができる。なお、先端開口縁部１２ａを診断箇所４の回りに沿って当接させるために、吸気チャネルを介して先端フード１内の気体を吸引してもよい。
【００４２】
この変形例では、フード部１２の内面であって、先端開口縁部１２ａの最も突き出ている部分に対応した位置に、位置合わせ用の目印部を有していてもよい。このように構成することにより、先端フード１を内視鏡２の先端部２１ａに装着する際に、当該目印部を目印として、先端フード１の内視鏡２の先端部２１ａに対する軸心周りの位置合わせを容易に行い得る。
【００４３】
この変形例において、フード部１２は、遮光性を有していることが好ましい。このように構成することにより、フード部１２内から外部に光が漏れることを抑制することができる。すなわち、レーザプローブ３のレーザ光出射部から出射されたレーザ光Ｌまたはその反射光が、フード部１２内から外部に漏れることを抑制することができる。そのため、照射を意図しない部分にレーザ光が照射されることを有効に防止することができる。また、少なくとも先端開口縁部１２ａは、柔軟性を有していてもよい。このように構成することにより、フード部１２の先端開口縁部１２ａを診断箇所４の周囲に密着させることが、さらに容易になる。
【００４４】
なお、上述した実施形態では、フード部１２は、略円筒状の部材としたが、先広がりまたは先細の略円錐台筒状の部材としてもよい。また、フード部１２は、円筒以外の筒形状であってもよい。
【００４５】
以上説明した実施形態は、本発明の理解を容易にするために記載されたものであって、本発明を限定するために記載されたものではない。従って、上述した実施形態に開示された各要素は、本発明の技術的範囲に属する全ての設計変更や均等物をも含む趣旨である。例えば、上述した実施形態では、プロトポルフィリンＩＸを光感受性物質として用いたＰＤＤを行うために、光学フィルタ１３として、波長６３５ｎｍ付近の光を透過して、それ以下の波長の光を遮断するロングパスフィルタまたはバンドパスフィルタを用いる場合について述べたが、本発明の内視鏡用先端フードは、例えばＰＤＴなどの他の診断・治療を行うための内視鏡にも用いることができ、光学フィルタの種類は行われる診断・治療に応じて、適宜選択することができる。
【符号の説明】
【００４６】
１…内視鏡用先端フード
１１…内視鏡装着部
１２…フード部
１２ａ…先端開口縁部
１３…光学フィルタ（光学フィルタ部）
１４…フィルタ支持部（支持部）
１４ａ…貫通穴
１４ｂ…環状溝
１５…Ｏリング（封止部）
２…内視鏡
２１…挿入部
２１ａ…先端部
２１ｃ…撮像部
２１ｃ１…対物レンズ系
２１ｃ２…ＣＣＤ
３…レーザプローブ
４…管腔臓器の診断箇所
【図１Ａ】
2018102840.tif 000003
【図１Ｂ】
2018102840.tif 000004
【図１Ｃ】
2018102840.tif 000005
【図１Ｄ】
2018102840.tif 000006
【図２】
2018102840.tif 000007
【図３Ａ】
2018102840.tif 000008
【図３Ｂ】
2018102840.tif 000009
【図４Ａ】
2018102840.tif 000010
【図４Ｂ】
2018102840.tif 000011